(57)【特許請求の範囲】
【請求項１】
樹脂成形品を当該樹脂成形品の支持体に組付けた際における、前記樹脂成形品の組付け状態を予測する、樹脂成形品の組付け状態予測方法であって、
前記樹脂成形品の成形時に前記樹脂成形品に発生する変形量である、成形時変形量を予測する第一ステップ、
前記樹脂成形品が成形後に熱の影響を受けることで、前記樹脂成形品に発生し得る変形量である、熱変形量を予測する第二ステップ、
前記第一ステップで予測した成形時変形量、及び前記第二ステップで予測した熱変形量を反映した上で、前記樹脂成形品を前記支持体に組付ける際に生じる変形量である、組付け時変形量を予測する第三ステップ、
前記成形時変形量、前記熱変形量、及び、前記組付け時変形量から、前記樹脂成形品の前記支持体に対する組付け状態を予測する第四ステップ、
前記樹脂成形品に隣接して配置される部品について、当該部品を規定の位置に組付ける際に生じる、当該部品の前記規定の位置からのズレ量を予測する第五ステップ、
前記第五ステップの後に、前記樹脂成形品の自重によって発生する変形量である、自重変形量を予測する第六ステップ、
前記第六ステップの後に、前記樹脂成形品、及び、前記部品の組付け後の外観を自由曲面データにて再現する第八ステップ、
を実行する、
樹脂成形品の組付け状態予測方法。
【請求項２】
前記第六ステップの後、かつ前記第八ステップの前に、前記樹脂成形品と、前記部品の相対位置関係を予測する第七ステップ、を実行する、
ことを特徴とする、請求項１に記載の樹脂成形品の組付け状態予測方法。
【請求項３】
樹脂成形品を当該樹脂成形品の支持体に組付けた際における、前記樹脂成形品の組付け状態を予測する、樹脂成形品の組付け状態予測装置であって、
３次元ＣＡＤデータを格納する記憶装置と、
前記３次元ＣＡＤデータの演算処理を行うＣＡＤ演算部と、
前記３次元ＣＡＤデータからメッシュデータを生成するＣＡＥ演算部と、
前記メッシュデータから自由曲面データを生成する自由曲面データ演算部とを具備し、
前記ＣＡＥ演算部にて、
樹脂成形品の成形時に前記樹脂成形品に発生する変形量である、成形時変形量を予測し、
前記樹脂成形品が成形後に熱の影響を受けることで、前記樹脂成形品に発生し得る変形量である、熱変形量を予測し、
予測した前記成形時変形量及び熱変形量を反映した上で、前記樹脂成形品を前記支持体に組付ける際に生じる変形量である、組付け時変形量を予測し、
前記成形時変形量、前記熱変形量、及び、前記組付け時変形量から、前記樹脂成形品の前記支持体に対する組付け状態を予測し、
前記樹脂成形品に隣接して配置される部品について、当該部品を規定の位置に組付ける際に生じる、当該部品の前記規定の位置からのズレ量を予測し、
前記樹脂成形品の自重によって発生する変形量である、自重変形量を予測し、
前記自由曲面データ演算部にて、
前記樹脂成形品、及び、前記部品の組付け後の外観を自由曲面データにて再現する構成とする、樹脂成形品の組付け状態予測装置。
【請求項４】
前記ＣＡＥ演算部にて、
前記樹脂成形品と、前記部品の相対位置関係を予測する、
ことを特徴とする、請求項３に記載の樹脂成形品の組付け状態予測装置。
【請求項５】
樹脂成形品を当該樹脂成形品の支持体に組付けた際における、前記樹脂成形品の組付け状態を予測するために、コンピュータを、
樹脂成形品の成形時に前記樹脂成形品に発生する変形量である、成形時変形量を予測する手段、
前記樹脂成形品が成形後に熱の影響を受けることで、前記樹脂成形品に発生し得る変形量である、熱変形量を予測する手段、
予測した前記成形時変形量及び熱変形量を反映した上で、前記樹脂成形品を前記支持体に組付ける際に生じる変形量である、組付け時変形量を予測する手段、
前記成形時変形量、前記熱変形量、及び、前記組付け時変形量から、前記樹脂成形品の前記支持体に対する組付け状態を予測する手段、
前記樹脂成形品に隣接して配置される部品について、当該部品を規定の位置に組付ける際に生じる、当該部品の前記規定の位置からのズレ量を予測する手段、
前記樹脂成形品の自重によって発生する変形量である、自重変形量を予測する手段、
前記樹脂成形品、及び、前記部品の組付け後の外観を自由曲面データにて再現する手段、
として機能させるための、樹脂成形品の組付け状態予測プログラム。
【請求項６】
前記コンピュータを、前記樹脂成形品と、前記部品の相対位置関係を予測する手段として機能させる、
ことを特徴とする、請求項５に記載の樹脂成形品の組付け状態予測プログラム。
【発明の詳細な説明】
【技術分野】
【０００１】
本発明は、樹脂成形品を当該樹脂成形品の支持体に組付けた際における、樹脂成形品の組付け状態を予測する、樹脂成形品の組付け状態予測方法に関するものである。
【背景技術】
【０００２】
従来、ＣＡＥ（ｃｏｍｐｕｔｅｒ  ａｉｄｅｄ  ｅｎｇｉｎｅｅｒｉｎｇ）を利用した樹脂成形品の寸法精度等の成形品質を予測する方法が提案されており、樹脂の流動解析により成形品質を予測する技術について開示する文献も存在する（例えば、特許文献１参照。）。
【特許文献１】特開２００５−７４７８６号公報
【発明の開示】
【発明が解決しようとする課題】
【０００３】
上述したように、樹脂成形品そのものの成形品質を予測する技術については周知となっているが、この樹脂成形品を、当該樹脂成形品の支持体に組付けた際における樹脂成形品の組付け状態を予測する技術は存在しない。
つまり、例をもって説明すると、図１に示すごとく、自動車の製造において、樹脂成形品であるフロントバンパー１を、該フロントバンパー１の支持体である金属のフレーム２に固定した場合において、前記フロントバンパー１の組付け後の外観、見栄えがどのようになるかを予測する、といった技術である。
この予測が可能となれば、図の例において、フロントバンパー１とヘッドランプ３の間に生じる隙間８や、段差を予測することが可能となり、組付け後の製品の外観、見栄えといった、いわゆる、「組付け品質」をシミュレーションすることができるようになる。
【０００４】
そもそも樹脂成形品は、上述の従来技術によって成形品質を予測したとしても、射出成形時において、金型の熱分布の不均一性が原因で脱型時に変形が生じたり、また、成形後において、その可撓性から外気温の変化による熱の影響を受けて容易に変形したりする。さらに、樹脂成形品は可撓性を有するものであり、前記支持体の固定部分の寸法精度にバラツキが生じた場合には、そのバラツキの影響を受けて、変形した状態で支持体に固定されることになる。このように、樹脂成形品の組付け状態を予測するには、樹脂成形品の特性を考慮する必要がある。
【０００５】
そして、組付け状態をシミュレーションすることができるようになれば、その結果を、樹脂成形品や、前記支持体の設計、製造方法にフィードバックするとともに、変更を図ることで、「組付け品質」の向上を図ることが可能となる。
特に、近年では、「組付け品質」の更なる向上が要求されており、このシミュレーションが可能となれば、外観、見栄えの点において、より高品質な製品を提供することが可能となる。
【０００６】
そこで、本発明では、以上の問題に鑑み、樹脂成形品の「組付け品質」の向上を図るべく、樹脂成形品の組付け状態を予測する技術を提案するものである。
【課題を解決するための手段】
【０００７】
本発明の解決しようとする課題は以上のごとくであり、次にこの課題を解決するための手段を説明する。
【０００８】
即ち、請求項１に記載のごとく、
樹脂成形品を当該樹脂成形品の支持体に組付けた際における、前記樹脂成形品の組付け状態を予測する、樹脂成形品の組付け状態予測方法であって、
前記樹脂成形品の成形時に前記樹脂成形品に発生する変形量である、成形時変形量を予測する第一ステップ、
前記樹脂成形品が成形後に熱の影響を受けることで、前記樹脂成形品に発生し得る変形量である、熱変形量を予測する第二ステップ、
前記第一ステップで予測した成形時変形量、及び前記第二ステップで予測した熱変形量を反映した上で、前記樹脂成形品を前記支持体に組付ける際に生じる変形量である、組付け時変形量を予測する第三ステップ、
前記成形時変形量、前記熱変形量、及び、前記組付け時変形量から、前記樹脂成形品の前記支持体に対する組付け状態を予測する第四ステップ、
前記樹脂成形品に隣接して配置される部品について、当該部品を規定の位置に組付ける際に生じる、当該部品の前記規定の位置からのズレ量を予測する第五ステップ、
前記第五ステップの後に、前記樹脂成形品の自重によって発生する変形量である、自重変形量を予測する第六ステップ、
前記第六ステップの後に、前記樹脂成形品、及び、前記部品の組付け後の外観を自由曲面データにて再現する第八ステップ、
を実行することとするものである。
【０００９】
また、請求項２に記載のごとく、
前記第六ステップの後、かつ前記第八ステップの前に、前記樹脂成形品と、前記部品の相対位置関係を予測する第七ステップ、を実行することとするものである。
【００１０】
また、請求項３に記載のごとく、
樹脂成形品を当該樹脂成形品の支持体に組付けた際における、前記樹脂成形品の組付け状態を予測する、樹脂成形品の組付け状態予測装置であって、
３次元ＣＡＤデータを格納する記憶装置と、
前記３次元ＣＡＤデータの演算処理を行うＣＡＤ演算部と、
前記３次元ＣＡＤデータからメッシュデータを生成するＣＡＥ演算部と、
前記メッシュデータから自由曲面データを生成する自由曲面データ演算部とを具備し、
前記ＣＡＥ演算部にて、
樹脂成形品の成形時に前記樹脂成形品に発生する変形量である、成形時変形量を予測し、
前記樹脂成形品が成形後に熱の影響を受けることで、前記樹脂成形品に発生し得る変形量である、熱変形量を予測し、
予測した前記成形時変形量及び熱変形量を反映した上で、前記樹脂成形品を前記支持体に組付ける際に生じる変形量である、組付け時変形量を予測し、
前記成形時変形量、前記熱変形量、及び、前記組付け時変形量から、前記樹脂成形品の前記支持体に対する組付け状態を予測し、
前記樹脂成形品に隣接して配置される部品について、当該部品を規定の位置に組付ける際に生じる、当該部品の前記規定の位置からのズレ量を予測し、
前記樹脂成形品の自重によって発生する変形量である、自重変形量を予測し、
前記自由曲面データ演算部にて、
前記樹脂成形品、及び、前記部品の組付け後の外観を自由曲面データにて再現する構成とするものである。
【００１１】
また、請求項４に記載のごとく、
前記ＣＡＥ演算部にて、
前記樹脂成形品と、前記部品の相対位置関係を予測することとするものである。
【００１２】
また、請求項５に記載のごとく、
樹脂成形品を当該樹脂成形品の支持体に組付けた際における、前記樹脂成形品の組付け状態を予測するために、コンピュータを、
樹脂成形品の成形時に前記樹脂成形品に発生する変形量である、成形時変形量を予測する手段、
前記樹脂成形品が成形後に熱の影響を受けることで、前記樹脂成形品に発生し得る変形量である、熱変形量を予測する手段、
予測した前記成形時変形量及び熱変形量を反映した上で、前記樹脂成形品を前記支持体に組付ける際に生じる変形量である、組付け時変形量を予測する手段、
前記成形時変形量、前記熱変形量、及び、前記組付け時変形量から、前記樹脂成形品の前記支持体に対する組付け状態を予測する手段、
前記樹脂成形品に隣接して配置される部品について、当該部品を規定の位置に組付ける際に生じる、当該部品の前記規定の位置からのズレ量を予測する手段、
前記樹脂成形品の自重によって発生する変形量である、自重変形量を予測する手段、
前記樹脂成形品、及び、前記部品の組付け後の外観を自由曲面データにて再現する手段、
として機能させるための、樹脂成形品の組付け状態予測プログラムとするものである。
【００１３】
また、請求項６に記載のごとく、
前記コンピュータを、前記樹脂成形品と、前記部品の相対位置関係を予測する手段として機能させるプログラムとするものである。
【発明の効果】
【００１４】
以上の請求項１、３、５に記載の発明では、
樹脂成形品の組付け状態を予測することができ、この結果をもとに、前記成形時変形量、前記熱変形量、及び、前記組付け時変形量の調整を図ることにより、樹脂成形品の組付け状態を調整し、組付け後の製品の外観、見栄えといった、いわゆる、「組付け品質」の向上を図ることができる。
また、予測した部品のズレ量を反映したメッシュデータを、ＣＡＥ解析によって出力し、この出力結果を参考にして、前記部品等の製作誤差の調整の検討を図ることができ、前記部品に関する組付け後の製品の外観、見栄えといった、いわゆる、「組付け品質」の向上を図ることができる。
さらに、より滑らかな曲面により外観・見栄えを再現することができ、これにより、組付け状態の外観・見栄えをより現実に近い形でシミュレーションすることが可能となる。
また、自重変形量を反映したメッシュデータを、ＣＡＥ解析によって出力するとともに、この出力結果を参考にして、前記樹脂成形品の形状や重量等の設計変更を図ることができ、前記樹脂成形品の自重に関連して影響を受ける組付け後の製品の外観、見栄えといった、いわゆる、「組付け品質」の向上を図ることができる。
【００１５】
また、請求項２、４、６に記載の発明では、
予測結果を参考にしつつ、前記樹脂成形品の前記成形時変形量、前記熱変形量、及び、前記組付け時変形量の各パラメータの調整や、前記部品の製作誤差の調整を図ることで、前記樹脂成形品と部品の相対位置関係を調整する調整する、即ち、組付け状態を調整することが可能となり、組付け後の製品の外観、見栄えといった、いわゆる、「組付け品質」の向上を図ることができる。
【発明を実施するための最良の形態】
【００１６】
本発明は、樹脂成形品を当該樹脂成形品の支持体に組付けた際における、前記樹脂成形品の組付け状態を予測するための技術であり、以下では、図１に示すごとく、前記樹脂成形品をフロントバンパー１、前記支持体をフレーム２、として、フロントバンパー１の組付け状態を予測する例を用いて説明する。また、フロントバンパー１と、このフロントバンパー１に隣接して設けられるヘッドランプ３との相対位置関係を予測することにより、これらの組付け状態を予測する例を用いて説明する。
【００１７】
図２は、本発明に係る樹脂成形品の組付け状態予測装置１０の装置構成例について示すものであり、前記フロントバンパー１、フレーム２、ヘッドランプ３等の３次元ＣＡＤデータの演算処理を行うＣＡＤ演算部１２、前記３次元ＣＡＤデータからメッシュデータを生成するＣＡＥ演算部１３、及び、前記メッシュデータから自由曲面データを生成する自由曲面データ演算部１４を具備する演算装置１１を備えている。また、前記演算装置１１には、前記３次元ＣＡＤデータを格納する記憶装置１５が接続されている。また、前記演算装置１１には、前記３次元ＣＡＤデータからなる図形モデルや、前記メッシュデータからなる図形モデル等を表示等するための出力装置１６が接続されている。また、前記演算装置１１には、前記演算装置１１に対してオペレータが命令を入力するための入力装置１７が接続されている。
以上の構成は、パーソナルコンピュータや、ワークステーションの構成で実現することができるものであり、例えば、前記ＣＡＤ演算部１２、前記ＣＡＥ演算部１３、及び、自由曲面データ演算部１４については、市販のソフトウェアと周知のハードウエアの構成にて実現することができる。
【００１８】
そして、図３に示すごとくのステップにより、組付け状態の予測を行うものである。
即ち、図３に示すごとく、
樹脂成形品を当該樹脂成形品の支持体に組付けた際における、前記樹脂成形品の組付け状態を予測する、樹脂成形品の組付け状態予測方法であって、
樹脂成形品であるフロントバンパー１の成形時に前記フロントバンパー１に発生する変形量である、成形時変形量を予測する第一ステップ、
前記フロントバンパー１が成形後に熱の影響を受けることで、前記フロントバンパー１に発生し得る変形量である、熱変形量を予測する第二ステップ、
前記フロントバンパー１を前記フレーム２に組付ける際に生じる変形量である、組付け時変形量を予測する第三ステップ、
前記成形時変形量、前記熱変形量、及び、前記組付け時変形量から、前記フロントバンパー１の前記フレーム２に対する組付け状態を予測する第四ステップ、を実行することとするものである。
【００１９】
以上の第一〜第四のステップを実行することにより、樹脂成形品の組付け状態を予測することができ、この結果をもとに、前記成形時変形量、前記熱変形量、及び、前記組付け時変形量の調整を図ることにより、樹脂成形品の組付け状態を調整し、組付け後の製品の外観、見栄えといった、いわゆる、「組付け品質」の向上を図ることができる。
【００２０】
前記各ステップについて説明すると、
まず、第一ステップにおいては、樹脂成形品の射出成形時に発生する変形を、成形時変形量として定義し、この成形時変形量をＣＡＥ解析により予測するものである。換言すれば、成形時変形量が、組付け状態に影響を与えるパラメータとして設定され、このパラメータの値を予測しようとするものである。
【００２１】
この成形時における変形は、例えば、成形金型において、フロントバンパー１の外側を形成するキャビティ面の冷却時表面温度が、内側を形成するキャビティ面の冷却時表面温度よりも低い場合において、このキャビティ面の冷却時表面温度の違いによって、フロントバンパー１が脱型時に内側から外側へ広がる方向へと変形する（いわゆる「そり変形」）、といった現象である。
この現象に着目し、この第一ステップにおいて、成形時変形量を予測するものである。
【００２２】
また、この成形時変形量の予測は、フロントバンパー１の形状、厚み、キャビティ面の温度等をパラメータとして、周知のＣＡＥ解析技術・解析方法（パラメータの範囲の設定等）を適用することにより可能である。
【００２３】
次に、第二ステップにおいては、前記フロントバンパー１が成形後に熱の影響を受けて、該フロントバンパー１に発生し得る変形を、熱変形量として定義し、この熱変形量をＣＡＥ解析により予測するものである。換言すれば、熱変形量が、組付け状態に影響を与えるパラメータとして設定され、このパラメータの値を予測しようとするものである。
【００２４】
この熱の影響を受けて発生し得る変形は、本実施例のような自動車部品への適用の場合では、例えば、組付けた状態において、季節の変化による外気温度の変化により、フロントバンパー１が、夏場は伸び、冬場は縮む、といった現象である。
この現象に着目し、この第二ステップにおいて、熱変形量を予測するものである。
【００２５】
また、この熱変形量の予測は、フロントバンパー１の形状、厚み等をパラメータとして、周知のＣＡＥ解析技術・解析方法（パラメータの範囲の設定等）を適用することにより可能である。
【００２６】
次に、第三ステップにおいては、前記フロントバンパー１を前記フレーム２に組付ける際に生じる変形を、組付け時変形量として定義し、この組付け時変形量をＣＡＥ解析により予測するものである。換言すれば、組付け時変形量が、組付け状態に影響を与えるパラメータとして設定され、このパラメータの値を予測しようとするものである。
【００２７】
この組付ける際に生じる変形は、前述の第一・第二ステップで予測した変形を反映することで、規定の形状でなくなったフロントバンパー１を、組付けの相手方となるフレーム２に対して固定するために、荷重７を加えることで生じる変形である。
この現象に着目し、この第三ステップにおいて、組付け時変形量を予測するものである。
尚、この組付け時変形量は、樹脂成形品が可撓性を有することに起因するものである。
【００２８】
また、この組付け時変形量の予測は、フロントバンパー１の形状、厚み等をパラメータとして、周知のＣＡＥ解析技術・解析方法（パラメータの範囲の設定等）を適用することにより可能であるが、このＣＡＥ解析の際には、前記第一・第二ステップで予測したフロントバンパー１の変形を反映した上で行われるものであり、また、組付けの相手方となるフレーム２の製作誤差（バラツキ）も考慮した上で行われる。
【００２９】
次に、第四ステップにおいては、前記各ステップで予測した前記成形時変形量、前記熱変形量、及び、前記組付け時変形量から、前記フロントバンパー１の前記フレーム２に対する組付け状態を予測するものであり、例えば、この予測結果をＣＡＥ解析によって図１に示すごとく、メッシュデータの出力形式にて表現するものである。
そして、この出力結果を参考にしつつ、前記成形時変形量、前記熱変形量、及び、前記組付け時変形量の各パラメータの調整することで、フロントバンパー１の組付け状態を調整することが可能となり、組付け後の製品の外観、見栄えといった、いわゆる、「組付け品質」の向上を図ることができる。尚、実際の評価においては、組付け品質が最も悪いケースが参酌されることとなる。
【００３０】
また、以上の第四ステップまでにおいては、樹脂成形品とその支持体との関係における組付け状態の予測・評価を行うものであったが、これに加え、樹脂成形品に隣接して配置される部品についても、組付け状態の予測を行うこともできる。
即ち、図３に示すごとく、前記第四ステップの後に、前記フロントバンパー１に隣接して配置される部品であるヘッドランプ３について、当該ヘッドランプ３を規定の位置に組付ける際に生じる、当該ヘッドランプ３の前記規定の位置からのズレ量を予測する第五ステップ、を実行することとするものである。
【００３１】
この第五ステップにおいては、ヘッドランプ３の製作誤差（バラツキ）、及び、ヘッドランプ３の組付けの相手方となるフレーム４の製作誤差（バラツキ）を考慮して、ＣＡＥ解析により、当該ヘッドランプ３の規定の位置からのズレ量、即ち、本来設置されるべき設計上の座標位置からのズレ量を予測するものである。
この第五ステップにおいて対象とする部品（ヘッドランプ３）は、前記第一〜第四ステップにおいて対象とする可撓性の有る樹脂成形品とは異なり、大きな成形時変形量、熱変形量、組付け時変形量が発生しないものであるため、製作誤差（バラツキ）に着目してズレ量を予測することとするものである。
【００３２】
このようにして予測した部品のズレ量を反映したメッシュデータを、ＣＡＥ解析によって出力することが可能となる。尚、この第五ステップにおけるＣＡＥ解析では、部品（ヘッドランプ３）が変形しないため、部品の回転操作をすること等によって、組付け状態が再現されることになる。
そして、この出力結果を参考にして、前記部品やフレームの製作誤差の調整の検討を図ることができ、前記部品に関する組付け後の製品の外観、見栄えといった、いわゆる、「組付け品質」の向上を図ることができる。尚、実際の評価においては、組付け品質が最も悪いケースが参酌されることとなる。
【００３３】
また、以上の第五ステップまでにおいては、樹脂成形品の自重を考慮したものでなかったが、この自重の影響を考慮して、組付け状態の予測を行うこともできる。
即ち、図３に示すごとく、前記第五ステップの後に、前記樹脂成形品の自重によって発生する変形量である、自重変形量を予測する第六ステップ、を実行することとするものである。
【００３４】
この第六ステップにおいては、組付け状態において、その自重によって樹脂成形品が変形する現象に着目したものである。
この自重による変形を考慮することによって、実際の組付け状態をより正確にシミュレーション（予測・再現）することができる。
【００３５】
この自重変形量は、樹脂成形品であるフロントバンパー１の形状、重量等をパラメータとして、周知のＣＡＥ解析技術・解析方法（パラメータの範囲の設定等）を適用することにより可能である。
そして、この第六ステップにより予測した自重変形量を反映したメッシュデータを、ＣＡＥ解析によって出力するとともに、この出力結果を参考にして、前記樹脂成形品の形状や重量等の設計変更を図ることができ、前記樹脂成形品の自重に関連して影響を受ける組付け後の製品の外観、見栄えといった、いわゆる、「組付け品質」の向上を図ることができる。尚、実際の評価においては、組付け品質が最も悪いケースが参酌されることとなる。
【００３６】
また、以上の第六ステップまでにおいては、樹脂成形品、部品のそれぞれの変形やズレ量を評価するものであったが、樹脂成形品と部品の相対位置関係の評価を視野に入れて組付け状態の予測を行うこともできる。
即ち、図３に示すごとく、前記第六ステップの後に、前記樹脂成形品と、前記部品の相対位置関係を予測する第七ステップ、を実行することとするものである。
【００３７】
この第七ステップにおいては、図３に示すごとく、フロントバンパー１とヘッドランプ３の相対位置関係、即ち、両部品間に生じる隙間８、段差９といったように、フロントバンパー１とヘッドランプ３によって構成される外観に関連するパラメータを用いて、「組付け品質」を評価しようとするものである。つまり、この隙間８や、段差９が少なければ、前記「組付け品質」が良好であると評価できるものであり、このことをもって、「組付け品質」を予測しようとするものである。尚、実際の評価においては、組付け品質が最も悪いケースが参酌されることとなる。
【００３８】
そして、この予測結果を参考にしつつ、前記樹脂成形品（フロントバンパー１）の前記成形時変形量、前記熱変形量、及び、前記組付け時変形量の各パラメータの調整や、前記部品（ヘッドランプ３）の製作誤差の調整を図ることで、前記樹脂成形品と部品の相対位置関係を調整する、即ち、組付け状態を調整することが可能となり、組付け後の製品の外観、見栄えといった、いわゆる、「組付け品質」の向上を図ることができる。
【００３９】
また、この第七ステップの予測は、隣接する二つの部品の相対位置関係を評価するものであり、各部品の変形やズレ量を単独で評価するものではない。
このため、組付け状態を総合的に評価することができるものとなる。
【００４０】
また、このことからすれば、仮に、例えば、前記第四ステップまでの評価において、フロントバンパー１の各変形量（成形時変形量、熱変形量、組付け時変形量）が大きいと判断された場合であっても、当該第七ステップにおける評価が良好である場合には、当該第七ステップの評価をもってして、「組付け品質」が良好であるものと判断することも可能である。尚、実際の評価においては、組付け品質が最も悪いケースが参酌されることとなる。
【００４１】
また、以上の第七ステップまでにおいては、ＣＡＥ解析によるメッシュデータでの外観の表現を行うものであったが、より実物に近い外観、見栄えを再現すべく、メッシュデータを自由曲面データの形式にて出力することとしてもよい。
即ち、前記第六ステップ、又は、前記第七ステップの後に、前記樹脂成形品、及び、前記部品の組付け後の外観を自由曲面データにて再現する第八ステップ、を実行することとするものである。
【００４２】
これにより、より滑らかな曲面により外観・見栄えを再現することができ、これにより、組付け状態の外観・見栄えをより現実に近い形でシミュレーションすることが可能となる。
【００４３】
また、以上の第一〜第八ステップを実施する装置構成として、次の装置構成を適用することができる。
即ち、樹脂成形品を当該樹脂成形品の支持体に組付けた際における、前記樹脂成形品の組付け状態を予測する、樹脂成形品の組付け状態予測装置であって、
図２及び図３に示すごとく、
３次元ＣＡＤデータを格納する記憶装置１５と、
前記３次元ＣＡＤデータの演算処理を行うＣＡＤ演算部１２と、
前記３次元ＣＡＤデータからメッシュデータを生成するＣＡＥ演算部１３とを具備し、
前記ＣＡＥ演算部１３にて、
樹脂成形品であるフロントバンパー１の成形時に前記フロントバンパー１に発生する変形量である、成形時変形量を予測し、
前記フロントバンパー１が成形後に熱の影響を受けることで、前記フロントバンパー１に発生し得る変形量である、熱変形量を予測し、
前記フロントバンパー１を前記フレーム２に組付ける際に生じる変形量である、組付け時変形量を予測し、
前記成形時変形量、前記熱変形量、及び、前記組付け時変形量から、前記フロントバンパー１の前記フレーム２に対する組付け状態を予測する構成とするものである。
【００４４】
また、図２及び図３に示すごとく、
前記ＣＡＥ演算部１３にて、
前記樹脂成形品であるフロントバンパー１に隣接して配置される部品であるヘッドランプ３について、当該ヘッドランプ３を規定の位置に組付ける際に生じる、当該ヘッドランプ３の前記規定の位置からのズレ量を予測することとするものである。
【００４５】
また、図２及び図３に示すごとく、
前記ＣＡＥ演算部１３にて、
前記樹脂成形品の自重によって発生する変形量である、自重変形量を予測することとするものである。
【００４６】
また、図２及び図３に示すごとく、
前記ＣＡＥ演算部１３にて、
前記樹脂成形品と、前記部品の相対位置関係を予測することとするものである。
【００４７】
また、図２及び図３に示すごとく、
前記樹脂成形品の組付け状態予測装置は、
前記メッシュデータから自由曲面データを生成する自由曲面データ演算部１４を具備し、
前記自由曲面データ演算部１４にて、
前記樹脂成形品、及び、前記部品の組付け後の外観を自由曲面データにて再現することとするものである。
【００４８】
また、本発明は、プログラムとして構成することができる。
即ち、樹脂成形品を当該樹脂成形品の支持体に組付けた際における、前記樹脂成形品の組付け状態を予測するために、コンピュータを、
図２及び図３に示すごとく、
樹脂成形品であるフロントバンパー１の成形時に前記フロントバンパー１に発生する変形量である、成形時変形量を予測する手段、
前記フロントバンパー１が成形後に熱の影響を受けることで、前記フロントバンパー１に発生し得る変形量である、熱変形量を予測する手段、
前記フロントバンパー１を前記フレーム２に組付ける際に生じる変形量である、組付け時変形量を予測する手段、
前記成形時変形量、前記熱変形量、及び、前記組付け時変形量から、前記フロントバンパー１の前記フレーム２に対する組付け状態を予測する手段、
として機能させるための樹脂成形品の組付け状態予測プログラムとするものである。
【００４９】
また、図２及び図３に示すごとく、
前記コンピュータを、前記樹脂成形品であるフロントバンパー１に隣接して配置される部品であるヘッドランプ３について、当該ヘッドランプ３を規定の位置に組付ける際に生じる、当該ヘッドランプ３の前記規定の位置からのズレ量を予測する手段として機能させるプログラムとするものである。
【００５０】
また、図２及び図３に示すごとく、
前記コンピュータを、前記樹脂成形品の自重によって発生する変形量である、自重変形量を予測する手段として機能させるプログラムとするものである。
【００５１】
また、図２及び図３に示すごとく、
前記コンピュータを、前記樹脂成形品と、前記部品の相対位置関係を予測する手段として機能させるプログラムとするものである。
【００５２】
また、図２及び図３に示すごとく、
前記コンピュータを、前記樹脂成形品、及び、前記部品の組付け後の外観を自由曲面データにて再現する手段として機能させるプログラムとするものである。
【００５３】
また、以上の実施例では、フロントバンパー１とヘッドランプ３を用いて自動車の組付けへの適用について述べたが、この例に限るものではなく、樹脂成形品の組付け状態を予測・評価するために、本発明は幅広い製造分野に適用可能である。
【図面の簡単な説明】
【００５４】
【図１】樹脂成形品であるフロントバンパーの組付け状態を予測した場合の出力結果について示す図。
【図２】本発明に係る樹脂成形品の組付け状態予測装置の装置構成例について示す図。
【図３】本発明に係る樹脂成形品の組付け状態予測方法を実施する場合のステップについて示す図。
【符号の説明】
【００５５】
１      フロントバンパー
２      フレーム
３      ヘッドランプ
４      フレーム
８      隙間
９      段差
【図１】
0004774855.tif 000002
【図２】
0004774855.tif 000003
【図３】
0004774855.tif 000004